(57)【要約】【課題】内部構造体の強度を高めることで、外部からの衝撃や物の積載等による重量負荷による変形を防ぐことが可能なゴルフバッグを提供する。【解決手段】本発明のゴルフバッグ１は、本体７と、本体７の上方に配設された把持部３と、本体７の上方に一端が下方に他端が接続された肩掛け部５と、本体７の内部に配設される円筒型の補強材２とを備え、補強材２には、上記円筒の周面を周回するように所定間隔を隔てて複数の補強帯２ｈ，２ｉ，２ｊが配設されており、補強帯２ｈは把持部３の配設位置と肩掛け部５の上方の接続位置との略中間の高さを周回し、補強帯２ｉは本体７の略中間の高さを周回し、補強帯２ｊは肩掛け部５の下方の高さを周回する。【選択図】図１
2019017720.tif 000002
【特許請求の範囲】
【請求項１】
本体と、
前記本体の内部に配設される円筒型の補強材と、を備え、
前記補強材は、前記円筒の周面を周回するように所定間隔を隔てて複数の補強帯が配設置されている
ゴルフバッグ。
【請求項２】
本体と、
前記本体の上方に配設された把持部と、
前記本体の上方に一端が下方に他端が接続された肩掛け部と、
前記本体の内部に配設される円筒型の補強材と、を備え、
前記補強材には、上記円筒の周面を周回するように所定間隔を隔てて複数の補強帯が配設されている
ゴルフバッグ。
【請求項３】
前記補強帯は、第１乃至第３補強帯からなり、
前記第１補強帯は、前記把持部の配設位置と前記肩掛け部の上方の接続位置との略中間の高さを周回し、前記第２補強帯は、前記本体の略中間の高さを周回し、前記第３補強帯は、前記肩掛け部の下方の高さを周回する
請求項２に記載のゴルフバッグ。
【請求項４】
前記本体は、補強帯収容部を備えており、
前記第１乃至第３補強帯は、それぞれに対応した補強帯収容部に収容されている
請求項３に記載のゴルフバッグ。
【請求項５】
前記補強帯は、グラスファイバー又はカーボンファイバーが帯状に成形されたものである
請求項１乃至請求項４のいずれか１項に記載のゴルフバッグ。
【発明の詳細な説明】
【技術分野】
【０００１】
本発明は、所謂キャリーバッグ等といったゴルフバッグに係り、特に外部衝撃や重量負荷に対する強度を高めたゴルフバッグに関する。
【背景技術】
【０００２】
従来、ゴルフクラブ等を収納し持ち運ぶためのゴルフバッグが広く用いられている。一般的なゴルフバッグは、全体が中空の円筒体となっており、上部開口でゴルフクラブを収納できるようになっている。そして、円筒体の本体の内側には、外部からの衝撃による変形を抑制するための補強材が内包されている。
【０００３】
今日では、ゴルフバッグの軽量化も嘱望されており、その為に補強材の薄膜化が進められているが、そのような場合でも、ゴルフバッグの各部の変更を抑制することが嘱望されている。しかし、従来技術に係るゴルフバッグでは、図４に示されるように、車載して上に物を載置したような場合に、その重量負荷による変形が生じていた。
【０００４】
ここで、例えば特許文献１では、ゴルフバッグの内部に配設される上端が開放された中空筒状の内部構造体において、その内部構造体の周壁に補強帯をスパイラル状に巻き付け固定したゴルフバッグの内部構造体が開示されている。
【先行技術文献】
【特許文献】
【０００５】
【特許文献１】実用新案登録第３１２３１６２号公報
【発明の概要】
【発明が解決しようとする課題】
【０００６】
しかしながら、特許文献１に開示されたものは、車輌のトランク等に倒された状態で積まれ、更にその上に物を積載することで重量が掛かった場合に、外部衝撃や重要負荷による変更を本体の広範囲において防止する工夫は開示されていない。
【０００７】
本発明は、このような課題に鑑みてなされたものであり、その目的とするところは、補強材の強度を高めることで、外部からの衝撃や物の積載等による重量負荷による変形を防ぐことにある。
【課題を解決するための手段】
【０００８】
上記課題を解決するため、本発明の一態様に係るゴルフバッグは、本体と、前記本体の内部に配設される円筒型の補強材と、を備え、前記補強材は、上記円筒の周面を周回するように所定間隔を隔てて複数の補強帯が配設置されている。
【０００９】
本発明の他の態様に係るゴルフバッグは、本体と、前記本体の上方に配設された把持部と、前記本体の上方に一端が下方に他端が接続された肩掛け部と、前記本体の内部に配設される円筒型の補強材と、を備え、前記補強材には、上記円筒の周面を周回するように所定間隔を隔てて複数の補強帯が配設されている。
【００１０】
ここで、前記補強帯は、第１乃至第３補強帯からなり、前記第１補強帯は、前記把持部の配設位置と前記肩掛け部の上方の接続位置との略中間の高さを周回し、前記第２補強帯は、前記本体の略中間の高さを周回し、前記第３補強帯は、前記肩掛け部の下方の高さを周回することとしてもよい。
【００１１】
また、前記本体は、補強帯収容部を備えており、前記第１乃至第３補強帯は、それぞれに対応した補強帯収容部に収容されていることとしてもよい。
【００１２】
このほか、前記補強帯は、グラフファイバー又はカーボンファイバーが成形されたものでよい。
【発明の効果】
【００１３】
本発明によれば、補強材の強度を高めることで、外部からの衝撃や物の積載等による重量負荷による変形を防ぐことが可能なゴルフバッグを提供することができる。
【図面の簡単な説明】
【００１４】
【図１】本発明の一実施形態に係るゴルフバッグの構成図である。
【図２】内部構造体の変形に対する耐性を説明する概念図である。
【図３】実施形態に係るゴルフバッグを車載した様子を示す図である。
【図４】従来技術に係るゴルフバッグを車載した様子を示す図である。
【発明を実施するための形態】
【００１５】
以下、図面を参照しつつ本発明の一実施形態について説明する。
【００１６】
図１（ａ）には本発明の一実施形態に係るゴルフバッグの構成を示し、図１（ｂ）にはゴルフバック本体の内部に配設される補強材の構成を示し、説明する。
【００１７】
図１（ａ）に示されるように、ゴルフバック１の本体７は、上部開口で中空の円筒形状となっており、上部開口には枠体６が配設されており、強度が補強されている。本体７の上部にはユーザが携帯時などに把持する把持部３が設けられており、更に把持部３と対向する周面上の位置には肩掛け部５が設けられている。肩掛け部５は、一端が本体７の上方に接続され、他端が本体７の下方に接続されている。ユーザは、携帯時には、把持部３を把持しても、肩掛け部５を肩に掛けてもよい。本体７の下方には、ゴルフクラブ以外のゴルフ用品を収容するための収容部４が設けられている。収容部４には、例えば、ゴルフボールや雨具、手袋等、種々のものを収容することができる。
【００１８】
本体７の底面には、所定の厚さを有しゴルフバック１を垂直に立てた状態を維持するための底面部８が設けられている。そして、本体７の内部には、中空の円筒形状となる補強材２が配設されている。補強材２は、外部からの衝撃や重量負荷等によるゴルフバック１の変形を防止するために配設されたものである。本実施形態の特徴は、この補強材２の構成にある。
【００１９】
より具体的には、図１（ｂ）に示されるように、展開した状態では、補強材２は平板状となっており、上辺２ａと下辺２ｂは、円筒形状に組み立てたときに、ゴルフバック１の上部開口等と同種の形状となるように、所定の曲率の円弧形状とされている。この例では２つの円弧で構成されるが、これには限定されないことは勿論である。
【００２０】
そして、この例では、長手方向に３か所の補強帯収納部２ｅ，２ｆ，２ｇが設けられており、補強帯２ｈ，２ｉ，２ｊは、補強帯収納部２ｅ，２ｆ，２ｇに、その一部が露呈するように収納される。補強帯収納部２ｅの配設位置は、把持部３の配設位置と肩掛け部５の上部の接続部の配設位置の略中間の位置（高さ）とする。補強帯収納部２ｆの配設位置は、本体７の略中間の位置（高さ）とする。そして、補強帯収納部２ｊの配設位置は、肩掛け部５の下部の接続部の配設位置（高さ）とする。
【００２１】
そして、補強材２を円筒形状に組み立てるときには、右辺２ｄと左辺２ｃとを接着剤等で接合するか、ステイプラー等の工業用工具で固定するときに、補強帯２ｈ，２ｉ，２ｊの露呈した一部を、他方の辺の補強帯収納部２ｅ，２ｆ，２ｇの開口部より収容する。これにより、組み立てられた補強材２の周面には、それぞれ所定の高さで周回するように補強帯２ｈ，２ｉ，２ｊが位置することになる。
【００２２】
前述したように、補強帯収納部２ｅの配設位置は、把持部３の配設位置と肩掛け部５の上部の接続部の配設位置の略中間の位置（高さ）であるので、把持部３や肩掛け部５をユーザが用いるときに生じる外部衝撃による本体７の変形を補強帯２ｅにより防止することができる。また、当該位置に掛かる重量負荷による変形を防止できる。
【００２３】
補強帯収納部２ｆの配設位置は、本体７の略中間の位置（高さ）とするので、上に積載された物の重量負荷による本体７の変形を補強帯２ｆにより防止できる。
【００２４】
補強帯収納部２ｊの配設位置は、肩掛け部５の下部の接続部の配設位置（高さ）であるので、肩掛け部５をユーザが用いるときに生じる外部衝撃による本体７の変形を補強帯２ｇにより防止することができる。また、当該位置に掛かる重量負荷による変形を防止することができる。
【００２５】
より詳細には、図２（ａ）に示されるように、仮にゴルフバック１の本体７の略中央部に外圧等がかかり、一時的には外圧による変形が発生したしても、補強帯２ｈ，２ｉ，２ｊの復元力により、図２（ｂ）に示されるような元の状態に復元させることで、変形を防止することができる。
【００２６】
このような機能を実現させるために、補強帯２ｈ，２ｉ，２ｊとしては、ガラスを融解、牽引して繊維状にしたガラス繊維（glass fiber;グラスファイバー）を用いることができる。例えば、プラスチックにガラス繊維を混合して固めるものであれば、プラスチック単体では得られない高強度、高靭性を持つ軽量な材料を得ることができる。また、補強帯２ｈ，２ｉ，２ｊとしては、アクリル繊維又はピッチを原料に高温で炭化して生成した炭素繊維（carbon fiber;カーボンファイバー）を用いることもできる。合成樹脂と炭素繊維と組み合わせた複合材料であってもよい。
【００２７】
なお、この例では、所定間隔を隔てて周回する３本の補強帯２ｈ，２ｉ，２ｊを採用することとしたが、これに限定されず、更に複数の補強帯を周回させるように配設させてもよいことは勿論である。例えば、補強帯２ｈと補強帯２ｊの間に所定間隔を隔てて複数の補強帯を周回させるようにしてもよい。
【００２８】
以上説明したように、本発明の一実施形態によれば、例えば図３に示されるように、車のトランクに倒された状態で積載され、その上に物１００が積載され、重量負荷がかかったとしても、補強材２の補強帯２ｈ，２ｉ，２ｊの機能により、本体７の変形を効果的に防止することが可能となる。
【００２９】
このように、本発明の実施形態によれば、以下の発明が提供される。
【００３０】
第１に、本体７と、本体７の内部に配設される円筒型の補強材２とを備え、補強材２には円筒の周面を周回するように所定間隔を隔てて複数の補強帯２ｈ，２ｉ，２ｊが配設されているゴルフバッグが提供される。従って、この場合、補強帯により、外部衝撃や重量負荷による変形を効果的に防止することができる。
【００３１】
第２に、本体７と、本体７の上方に配設された把持部３と、本体７の上方に一端が下方に他端が接続された肩掛け部５と、本体７の内部に配設される円筒型の補強材２とを備えており、補強材２には、上記円筒の周面を周回するように所定間隔を隔てて複数の補強帯２ｈ，２ｉ，２ｊが配設されているゴルフバッグが提供される。従って、この場合、補強材２を周回する複数の補強帯により、例えば、外部衝撃や重量負荷による変形を効果的に防止することができる。
【００３２】
ここで、補強帯は、補強帯２ｈ，２ｉ，２ｊからなり、補強帯２ｈは、把持部３の配設位置と肩掛け部５の上方の接続位置との略中間の高さを周回し、補強帯２ｉは、本体７の略中間の高さを周回し、第３補強帯２ｊは、肩掛け部５の下方の高さを周回することとしてもよい。従って、補強帯の配設位置を上記のようにすることで、外部衝撃や重量負荷がかかる可能性の高い箇所を中心に効果的に補強することができる。
【００３３】
また、本体７は、補強帯収容部２ｅ，２ｆ，２ｇを備えており、補強帯２ｈ，２ｉ，２ｊは、それぞれに対応した補強帯収容部２ｅ，２ｆ，２ｇに収容されていることとしてもよい。この場合、補強材２の組立てが極めて容易となる。
【００３４】
以上のほか、補強帯２ｈ，２ｉ，２ｊは、ポリエチレン等の高分子化合物による樹脂が帯状に成形されたものであってよいことは勿論である。この場合、ＰＥ等の特性により衝撃等から本体７を効果的に守ることが可能となる。
【００３５】
以上、本発明の一実施形態について説明したが、本発明はこれに限定されることなくその趣旨を逸脱しない範囲で種々の改良・変更が可能であることは勿論である。
【００３６】
例えば、補強帯の幅について、中央部の補強帯の幅を、上下の補強帯の幅よりも広くしてより強度を補強するようにしてもよい。
【符号の説明】
【００３７】
１…ゴルフバッグ
２…補強材
２ｅ，２ｆ，２ｇ…補強帯収容部
２ｆ，２ｉ，２ｊ…補強帯
３…把持部
４…収容部
５…肩掛け部
６…枠体
７…本体
８…底部
【図１】
2019017720.tif 000003
【図２】
2019017720.tif 000004
【図３】
2019017720.tif 000005
【図４】
2019017720.tif 000006